【手続補正書】
【提出日】平成20年2月18日(2008.2.18)
【手続補正１】
【補正対象書類名】明細書
【補正対象項目名】特許請求の範囲
【補正方法】変更
【補正の内容】
【特許請求の範囲】
【請求項１】  インクジェット記録ヘッドのインク吐出面を払拭するワイパと、
前記インクジェット記録ヘッドのインク吐出面を覆うキャップと、
前記インクジェット記録ヘッドから吐出されるインクのドット数を計数する計数手段と、
前記インクジェット記録ヘッドからインクが吐出されていない待機時間を計測する計測手段と、
前記計数手段によって計数されたドット数が第１の閾値より小さい第２の閾値よりも大きく、且つ前記計測手段によって計測された待機時間が第１の待機時間よりも長い場合に、前記キャップによって前記インクジェット記録ヘッドのインク吐出面を覆うように制御するキャッピング制御手段と、
前記計数手段によって計数されたドット数が前記第１の閾値よりも大きい場合、または前記キャッピング制御手段によるキャッピング中で、且つ前記計測手段によって計測された待機時間が前記第１の待機時間より長い第２の待機時間よりも長い場合に、前記ワイパによって前記インクジェット記録ヘッドのインク吐出面を払拭するよう制御するワイピング制御手段と、
を有することを特徴とする記録装置。
【請求項２】  前記ワイピング制御手段は、前記計数手段によって計数されたドット数が前記第２の閾値より大きい場合に、前記ワイパにより前記インクジェット記録ヘッドのインク吐出面を払拭するよう制御することを特徴とする請求項１に記載の記録装置。
【請求項３】  前記ワイピング制御手段は、前記計数手段によって計数されたドット数が前記第２の閾値より小さい第３の閾値以下の場合に、前記ワイパにより前記インクジェット記録ヘッドのインク吐出面を払拭しないよう制御することを特徴とする請求項１に記載の記録装置。
【請求項４】  前記キャッピング制御手段は、前記計数手段によって計数されたドット数が前記第３の閾値以下の場合に、前記キャップにより前記インクジェット記録ヘッドのインク吐出面を覆い一連の記録動作を終了するよう制御することを特徴とする請求項３に記載の記録装置。
【請求項５】  前記インクジェット記録ヘッドは、インクに与える熱エネルギーを発生する電気熱変換体を備えることを特徴とする請求項１に記載の記録装置。
【請求項６】  前記ワイピング制御手段は、前記記録媒体１頁分の記録が終了する毎に、前記計数手段によって計数されたドット数と前記第１の閾値との比較結果に従って、前記ワイパにより前記インクジェット記録ヘッドのインク吐出面を払拭するよう制御することを特徴とする請求項１に記載の記録装置。
【請求項７】  インクジェット記録ヘッドのインク吐出面を払拭するワイパと前記インクジェット記録ヘッドのインク吐出面を覆うキャップとを用いて前記インクジェット記録ヘッドの回復を行なう回復方法であって、
前記インクジェット記録ヘッドから吐出されるインクのドット数を計数する計数工程と、
前記インクジェット記録ヘッドからインクが吐出されていない待機時間を計測する計測工程と、
前記計数工程において計数されたドット数が第１の閾値より小さい第２の閾値よりも大きく、且つ前記計測工程において計測された待機時間が第１の待機時間よりも長い場合に、前記キャップによって前記インクジェット記録ヘッドのインク吐出面を覆うようにするキャッピング工程と、
前記計数工程において計数されたドット数が前記第１の閾値よりも大きい場合、または前記キャッピング工程におけるキャッピング中で、且つ前記計測工程において計測された待機時間が前記第１の待機時間より長い第２の待機時間よりも長い場合に、前記ワイパによって前記インクジェット記録ヘッドのインク吐出面を払拭するワイピング工程と、
を有することを特徴とする回復方法。
【請求項８】  前記ワイピング工程は、前記計数工程において計数されたドット数が前記第２の閾値より大きい場合に、前記ワイパにより前記インクジェット記録ヘッドのインク吐出面を払拭することを特徴とする請求項７に記載の回復方法。
【請求項９】  前記ワイピング工程では、前記計数工程において計数されたドット数が前記第２の閾値より小さい第３の閾値以下の場合に、前記ワイパにより前記インクジェット記録ヘッドのインク吐出面を払拭しないことを特徴とする請求項７に記載の回復方法。
【請求項１０】  前記キャッピング工程は、前記計数工程において計数されたドット数が前記第３の閾値以下の場合に、前記キャップにより前記インクジェット記録ヘッドのインク吐出面を覆い一連の記録動作を終了することを特徴とする請求項９に記載の回復方法。
【手続補正２】
【補正対象書類名】明細書
【補正対象項目名】００１２
【補正方法】変更
【補正の内容】
【００１２】
即ち、インクジェット記録ヘッドのインク吐出面を払拭するワイパと、前記インクジェット記録ヘッドのインク吐出面を覆うキャップと、前記インクジェット記録ヘッドから吐出されるインクのドット数を計数する計数手段と、前記インクジェット記録ヘッドからインクが吐出されていない待機時間を計測する計測手段と、前記計数手段によって計数されたドット数が第１の閾値より小さい第２の閾値よりも大きく、且つ前記計測手段によって計測された待機時間が第１の待機時間よりも長い場合に、前記キャップによって前記インクジェット記録ヘッドのインク吐出面を覆うように制御するキャッピング制御手段と、前記計数手段によって計数されたドット数が前記第１の閾値よりも大きい場合、または前記キャッピング制御手段によるキャッピング中で、且つ前記計測手段によって計測された待機時間が前記第１の待機時間より長い第２の待機時間よりも長い場合に、前記ワイパによって前記インクジェット記録ヘッドのインク吐出面を払拭するよう制御するワイピング制御手段とを有することを特徴とする記録装置を備える。
【手続補正３】
【補正対象書類名】明細書
【補正対象項目名】００１３
【補正方法】変更
【補正の内容】
【００１３】
ここで、前記ワイピング制御手段は、前記計数手段によって計数されたドット数が第２の閾値より大きい場合に、ワイパによりインクジェット記録ヘッドのインク吐出面を払拭するよう制御することが望ましい。
【手続補正４】
【補正対象書類名】明細書
【補正対象項目名】００１４
【補正方法】変更
【補正の内容】
【００１４】
前記ワイピング制御手段は、前記計数手段によって計数されたドット数が第２の閾値より小さい第３の閾値の場合に、ワイパによりインクジェット記録ヘッドのインク吐出面を払拭しないよう制御するとともに、前記キャッピング制御手段が、そのままキャップにより前記インクジェット記録ヘッドのインク吐出面を覆い一連の記録動作を終了するよう制御すると良い。
【手続補正５】
【補正対象書類名】明細書
【補正対象項目名】００１５
【補正方法】変更
【補正の内容】
【００１５】
前記インクジェット記録ヘッドは、インクに与える熱エネルギーを発生する電気熱変換体を備えることが好ましい。
【手続補正６】
【補正対象書類名】明細書
【補正対象項目名】００１６
【補正方法】変更
【補正の内容】
【００１６】
前記ワイピング制御手段は、通常、前記記録媒体１頁分の記録が終了する毎に、前記計数手段によって計数されたドット数と第１の閾値との比較結果に従って、ワイパによりインクジェット記録ヘッドのインク吐出面を払拭するよう制御する。
【手続補正７】
【補正対象書類名】明細書
【補正対象項目名】００１７
【補正方法】変更
【補正の内容】
【００１７】
また他の発明によれば、インクジェット記録ヘッドのインク吐出面を払拭するワイパと前記インクジェット記録ヘッドのインク吐出面を覆うキャップとを用いて前記インクジェット記録ヘッドの回復を行なう回復方法であって、前記インクジェット記録ヘッドから吐出されるインクのドット数を計数する計数工程と、前記インクジェット記録ヘッドからインクが吐出されていない待機時間を計測する計測工程と、前記計数工程において計数されたドット数が第１の閾値より小さい第２の閾値よりも大きく、且つ前記計測工程において計測された待機時間が第１の待機時間よりも長い場合に、前記キャップによって前記インクジェット記録ヘッドのインク吐出面を覆うようにするキャッピング工程と、前記計数工程において計数されたドット数が前記第１の閾値よりも大きい場合、または前記キャッピング工程におけるキャッピング中で、且つ前記計測工程において計測された待機時間が前記第１の待機時間より長い第２の待機時間よりも長い場合に、前記ワイパによって前記インクジェット記録ヘッドのインク吐出面を払拭するワイピング工程とを有することを特徴とする回復方法を備える。